【手続補正書】
【提出日】平成18年5月9日(2006.5.9)
【手続補正１】
【補正対象書類名】明細書
【補正対象項目名】特許請求の範囲
【補正方法】変更
【補正の内容】
【特許請求の範囲】    
【請求項１】
感光体に接触する帯電部材により感光体を帯電させ、帯電した感光体表面に静電潜像を形成し、現像手段によって前記静電潜像を非磁性一成分トナーで可視化してトナー像を形成する画像形成方法であって、
前記現像手段は前記トナーを担持する現像ローラーと、この現像ローラーにトナーを供給するトナー供給部材と、前記現像ローラーに担持されたトナーの量を規制する規制部材とを有し、前記現像ローラーを前記感光体に接触させてトナーを感光体表面に転移させることによりトナー像を形成する手段であり、
前記現像ローラーのアスカーＣ硬度Ｈが３０〜６０°であり且つマイクロ硬度Ｍが３０〜６０であり、
前記トナーは重量平均径が３〜９μｍであり、平均円形度が０．９２０〜０．９７０であり、ＨＡＺＥ値Ｄが５〜４０であり、
前記トナーの固め比重をρｔ、真比重をρとした時に、前記Ｈ、Ｍ、Ｄ、ρｔ及びρが下記式（１）及び（２）を満足することを特徴とする、画像形成方法。
【数１】
７９．０ ≦ Ｈ＋５０・ρｔ／ρ ≦ ８６．５  （１）
６５ ≦ Ｈ・Ｍ／Ｄ ≦ ７００                （２）
【請求項２】
前記現像ローラーの前記感光体への食い込み量Δが１０〜２００μｍであることを特徴とする、請求項１に記載の画像形成方法。
【請求項３】
前記感光体は導電性基体と、該導電性基体上に形成された電荷発生層と、該電荷発生層上に形成された電荷輸送層とを少なくとも有し、前記電荷発生層上に形成される層の厚さが１９μｍ以下であることを特徴とする、請求項１または２に記載の画像形成方法。
【請求項４】
前記電荷輸送層を構成するバインダー樹脂のゲルパーミエーションクロマトグラフィーにより測定される数平均分子量（Ｍｎ）と重量平均分子量（Ｍｗ）との関係が下記式（３）及び（４）を満足することを特徴とする、請求項３に記載の画像形成方法。
【数２】
Ｍｗ／Ｍｎ ≦ ２．５ （３）
Ｍｗ ≧ ８００００   （４）
【請求項５】
前記トナーの表面に一次数平均径が５〜３０ｎｍの無機微粒子が存在することを特徴とする、請求項１〜４のいずれか一項に記載の画像形成方法。
【請求項６】
前記トナーは、ワックスを７質量％以下の含有量で含有することを特徴とする、請求項１〜５のいずれか一項に記載の画像形成方法。
【請求項７】
前記トナーの平均円形度が０．９４０〜０．９７０であることを特徴とする、請求項１〜６のいずれか一項に記載の画像形成方法。
【請求項８】
前記トナーの２３℃、相対湿度６０％環境下における飽和摩擦帯電量が−５０〜−８５ｍＣ／ｋｇ未満であることを特徴とする、請求項１〜７のいずれか一項に記載の画像形成方法。
【請求項９】
感光体と、該感光体に接触して帯電する帯電部材と、トナーを収容する現像容器と、該現像容器の開口部に設けられてトナーを担持する現像ローラーと、この現像ローラーにトナーを供給するトナー供給部材と、前記現像ローラーに当接して現像ローラー上に担持されたトナーの量を規制するとともに前記トナーを摩擦帯電させる規制部材と、を有するプロセスカートリッジであって、
前記現像ローラーのアスカーＣ硬度Ｈが３０〜６０°であり且つマイクロ硬度Ｍが３０〜６０であり、
前記トナーは重量平均径が３〜９μｍであり、平均円形度が０．９２０〜０．９７０であり、ＨＡＺＥ値Ｄが５〜４０である非磁性一成分トナーであり、
前記トナーの固め比重をρｔ、真比重をρとした時に、前記Ｈ、Ｍ、Ｄ、ρｔ及びρが下記式（１）及び（２）を満足することを特徴とする、プロセスカートリッジ。
【数３】
７９．０ ≦ Ｈ＋５０・ρｔ／ρ ≦８６．５ （１）
６５ ≦ Ｈ・Ｍ／Ｄ ≦ ７００             （２）
【請求項１０】
前記現像ローラーの前記感光体への食い込み量Δが１０〜２００μｍであることを特徴とする、請求項９に記載のプロセスカートリッジ。
【請求項１１】
前記感光体は導電性基体と、該導電性基体上に形成された電荷発生層と、該電荷発生層上に形成された電荷輸送層とを少なくとも有し、前記電荷発生層上に形成される層の厚さが１９μｍ以下であることを特徴とする、請求項９または１０に記載のプロセスカートリッジ。
【請求項１２】
前記電荷輸送層を構成するバインダー樹脂のゲルパーミエーションクロマトグラフィーにより測定される数平均分子量（Ｍｎ）と重量平均分子量（Ｍｗ）との関係が下記式（３）及び（４）を満足することを特徴とする、請求項１１に記載のプロセスカートリッジ。
【数４】
Ｍｗ／Ｍｎ ≦ ２．５ （３）
Ｍｗ ≧ ８００００   （４）
【請求項１３】
前記トナーの表面に一次数平均径が５〜３０ｎｍの無機微粒子が存在することを特徴とする、請求項９〜１２のいずれか一項に記載のプロセスカートリッジ。
【請求項１４】
前記トナーには数平均径が５〜３０ｎｍの無機微粒子が外添されていることを特徴とする、請求項９〜１３のいずれか一項に記載のプロセスカートリッジ。
【請求項１５】
前記トナーは、ワックスを７質量％以下の含有量で含有することを特徴とする、請求項９〜１４のいずれか一項に記載のプロセスカートリッジ。
【請求項１６】
前記トナーの２３℃、相対湿度６０％環境下における飽和摩擦帯電量が−５０〜−８５ｍＣ／ｋｇ未満であることを特徴とする、請求項９〜１５のいずれか一項に記載のプロセスカートリッジ。
【請求項１７】
トナーを収容する現像容器と、該現像容器の開口部に設けられてトナーを担持する現像ローラーと、この現像ローラーにトナーを供給するトナー供給部材と、前記現像ローラーに当接して現像ローラー上に担持されたトナーの量を規制するとともに前記トナーを摩擦帯電させるためのトナー規制部材と、を有する現像ユニットであって、
前記現像ローラーのアスカーＣ硬度Ｈが３０〜６０°であり且つマイクロ硬度Ｍが３０〜６０とし、
前記トナーは重量平均径が３〜９μｍであり、平均円形度が０．９２０〜０．９７０であり、ＨＡＺＥ値Ｄが５〜４０である非磁性一成分トナーであり、
前記トナーの固め比重をρｔ、真比重をρとした時に、前記Ｈ、Ｍ、Ｄ、ρｔ及びρが下記式（１）及び（２）を満足することを特徴とする、現像ユニット。
【数５】
７９．０ ≦ Ｈ＋５０・ρｔ／ρ ≦８６．５ （１）
６５ ≦ Ｈ・Ｍ／Ｄ ≦ ７００             （２）
【請求項１８】
前記トナーに一次数平均径が５〜３０ｎｍの無機微粒子が存在することを特徴とする、請求項１７に記載の現像ユニット。
【請求項１９】
前記トナーには数平均径が５〜３０ｎｍの無機微粒子が外添されていることを特徴とする、請求項１７又は１８の現像ユニット。
【請求項２０】
前記トナーは、ワックスを７質量％以下の含有量で含有することを特徴とする、請求項１７〜１９のいずれか一項に記載の現像ユニット。
【請求項２１】
前記トナーの２３℃、相対湿度６０％環境下における飽和摩擦帯電量が−５０〜−８５ｍＣ／ｋｇ未満であることを特徴とする、請求項１７〜２０のいずれか一項に記載の現像ユニット。
【手続補正２】
【補正対象書類名】明細書
【補正対象項目名】００１８
【補正方法】変更
【補正の内容】
【００１８】
【数６】
７９．０ ≦ Ｈ＋５０・ρｔ／ρ ≦ ８６．５  （１）
６５ ≦ Ｈ・Ｍ／Ｄ ≦ ７００                （２）
【手続補正３】
【補正対象書類名】明細書
【補正対象項目名】００２０
【補正方法】変更
【補正の内容】
【００２０】
【数７】
７９．０ ≦ Ｈ＋５０・ρｔ／ρ ≦ ８６．５ （１）
【手続補正４】
【補正対象書類名】明細書
【補正対象項目名】００２１
【補正方法】変更
【補正の内容】
【００２１】
【数８】
６５ ≦ Ｈ・Ｍ／Ｄ ≦ ７００ （２）
【手続補正５】
【補正対象書類名】明細書
【補正対象項目名】００３２
【補正方法】変更
【補正の内容】
【００３２】
【数９】
７９．０ ≦ Ｈ＋５０・ρｔ／ρ ≦ ８６．５ （１）
【手続補正６】
【補正対象書類名】明細書
【補正対象項目名】００３４
【補正方法】変更
【補正の内容】
【００３４】
【数１０】
８０．０ ≦ Ｈ＋５０・ρｔ／ρ ≦ ８５．０ （１’）
【手続補正７】
【補正対象書類名】明細書
【補正対象項目名】００３５
【補正方法】変更
【補正の内容】
【００３５】
【数１１】
８１．０ ≦ Ｈ＋５０・ρｔ／ρ ≦ ８３．０ （１”）
【手続補正８】
【補正対象書類名】明細書
【補正対象項目名】００４３
【補正方法】変更
【補正の内容】
【００４３】
【数１２】
６５ ≦ Ｈ・Ｍ／Ｄ ≦ ７００ （２）
【手続補正９】
【補正対象書類名】明細書
【補正対象項目名】００４６
【補正方法】変更
【補正の内容】
【００４６】
【数１３】
７５ ≦ Ｈ・Ｍ／Ｄ ≦ ４５０ （２’）
【手続補正１０】
【補正対象書類名】明細書
【補正対象項目名】００４７
【補正方法】変更
【補正の内容】
【００４７】
【数１４】
８０．０ ≦ Ｈ・Ｍ／Ｄ ≦ ９２．０ （２”）
【手続補正１１】
【補正対象書類名】明細書
【補正対象項目名】００４９
【補正方法】変更
【補正の内容】
【００４９】
【数１５】
７９．０ ≦ Ｈ＋５０・ρｔ／ρ ≦ ８６．５  （１）
６５ ≦ Ｈ・Ｍ／Ｄ ≦ ７００                （２）
【手続補正１２】
【補正対象書類名】明細書
【補正対象項目名】００５８
【補正方法】変更
【補正の内容】
【００５８】
【数１６】
ＨＡＺＥ値（Ｄ） ＝ 拡散成分／全透過成分
【手続補正１３】
【補正対象書類名】明細書
【補正対象項目名】００６２
【補正方法】変更
【補正の内容】
【００６２】
【数１７】
円形度 ＝ 粒子投影面積と同じ面積の円の円周長／粒子投影像の周囲長
【手続補正１４】
【補正対象書類名】明細書
【補正対象項目名】００６３
【補正方法】変更
【補正の内容】
【００６３】
【数１８】
平均円形度 ＝ 各粒子の円形度の合計／全粒子数
【手続補正１５】
【補正対象書類名】明細書
【補正対象項目名】００６４
【補正方法】変更
【補正の内容】
【００６４】
【数１９】
円形度標準偏差 ＝ ｛Σ（各粒子の円形度−平均円形度）２／全粒子数｝１／２

【手続補正１６】
【補正対象書類名】明細書
【補正対象項目名】０１０３
【補正方法】変更
【補正の内容】
【０１０３】
【数２０】
飽和摩擦帯電量（μＣ／ｇ） ＝ ＣＶ／（Ｗ１−Ｗ２）
【手続補正１７】
【補正対象書類名】明細書
【補正対象項目名】０１２９
【補正方法】変更
【補正の内容】
【０１２９】
【数２１】
Ｍｗ／Ｍｎ ≦ ２．５ （３）
Ｍｗ ≧ ８００００   （４）
【手続補正１８】
【補正対象書類名】明細書
【補正対象項目名】０１５７
【補正方法】変更
【補正の内容】
【０１５７】
【数２２】
７９．０ ≦ Ｈ＋５０・ρｔ／ρ ≦ ８６．５  （１）
６５ ≦ Ｈ・Ｍ／Ｄ ≦ ７００                （２）
【手続補正１９】
【補正対象書類名】明細書
【補正対象項目名】０１６１
【補正方法】変更
【補正の内容】
【０１６１】
【数２３】
Ｍｗ／Ｍｎ ≦ ２．５ （３）
Ｍｗ ≧ ８００００   （４）
【手続補正２０】
【補正対象書類名】明細書
【補正対象項目名】０１６７
【補正方法】変更
【補正の内容】
【０１６７】
【数２４】
７９．０ ≦ Ｈ＋５０・ρｔ／ρ ≦８６．５  （１）
６５ ≦ Ｈ・Ｍ／Ｄ ≦ ７００              （２）
【手続補正２１】
【補正対象書類名】明細書
【補正対象項目名】０１７１
【補正方法】変更
【補正の内容】
【０１７１】
【数２５】
Ｍｗ／Ｍｎ ≦ ２．５ （３）
Ｍｗ ≧ ８００００   （４）
【手続補正２２】
【補正対象書類名】明細書
【補正対象項目名】０１７７
【補正方法】変更
【補正の内容】
【０１７７】
【数２６】
７９．０ ≦ Ｈ＋５０・ρｔ／ρ ≦８６．５  （１）
６５ ≦ Ｈ・Ｍ／Ｄ ≦ ７００               （２）